(57)【要約】本発明は、内部回路のトロイダルコイルと金属製バックカバーとが近接して配置される映像表示装置をバックカバーから騒音を発生させないものとするものである。映像表示装置は、トロイダルコイルを搭載する回路基板と、背面を覆うバックカバーとを含み、前記バックカバーにおける、前記回路基板上のトロイダルコイルに対向する領域を含む領域において、前記トロイダルコイルが発生する磁束の影響を減じる孔が設けられている。孔は格子状に配置された複数の孔であることが好ましい。
2013111196.tif 000002
【特許請求の範囲】
【請求項１】
トロイダルコイルを搭載する回路基板と、
背面を覆うバックカバーとを含み、
前記バックカバーにおける、前記回路基板上のトロイダルコイルに対向する領域を含む領域において、前記トロイダルコイルが発生する磁束の影響を減じる孔が設けられている
映像表示装置。
【請求項２】
前記孔が、格子状に配置された複数の孔であることを特徴とする請求項１に記載の映像表示装置。
【請求項３】
前記孔の径が４〜１０ｍｍの範囲内の値であり、前記孔同士の間隔が１〜５ｍｍの範囲内の値であることを特徴とする請求項２に記載の映像表示装置。
【発明の詳細な説明】
【技術分野】
【０００１】
本発明は、プラズマディスプレイテレビのような映像表示装置のバックカバーに関する。
【背景技術】
【０００２】
プラズマディスプレイテレビや液晶テレビの分野において、薄型電源回路や薄型パネルの採用等による映像表示装置の薄型化が著しい。最近では、例えば、２６インチの画面サイズを有するテレビであっても、４０ｍｍ以下の薄さであることが一般的である。
【先行技術文献】
【特許文献】
【０００３】
【特許文献１】特開２０１０−２７１４４１号公報
【発明の概要】
【発明が解決しようとする課題】
【０００４】
このように薄型化が進むテレビにおいて、特にバックカバーに金属板が用いられるプラズマディスプレイテレビでは、バックカバー付近から騒音が発生するという問題がある。【０００５】
本発明は、バックカバーからの騒音の発生を抑制する薄型テレビを提供することを目的とする。
【課題を解決するための手段】
【０００６】
薄型化が進む前の従来のプラズマディスプレイテレビでは、バックカバー付近からの騒音は特に気になるものではなかったが、薄型化が進んだ最近のプラズマディスプレイテレビではバックカバー付近からの騒音が顕著になることに、本願発明者は気付いた。そして、本願発明者は、その原因が内部回路のトロイダルコイルで発生する磁束にあると考えた。つまり、従来のプラズマディスプレイテレビは、相当程度の厚さを有しており、内部回路にトロイダルコイルが設けられるとしても、それらトロイダルコイルとバックカバーとの間にはかなりの距離があった。これに対して、最近の薄型プラズマディスプレイテレビでは、内部回路のトロイダルコイルとバックカバーとが近接して配置されている。このことから、本願発明者は、最近の薄型プラズマディスプレイテレビでは、内部回路のトロイダルコイルが生じる磁束の影響によりバックカバーが振動し、その結果としてバックカバーから騒音が生じる、と推定し、下記の構成の映像表示装置を発明した。【０００７】
本発明に係る映像表示装置は、トロイダルコイルを搭載する回路基板と、背面を覆うバックカバーとを含み、前記バックカバーにおける、前記回路基板上のトロイダルコイルに対向する領域を含む領域において、前記トロイダルコイルが発生する磁束の影響を減じる孔が設けられている。
【発明の効果】
【０００８】
本発明により、薄型テレビのバックカバーに設けられた孔がトロイダルコイルの発生する磁束の影響を低減するので、内部回路のトロイダルコイルと金属製バックカバーとが近接して配置される薄型テレビのバックカバーの振動は大幅に抑えられる。すなわち、内部回路のトロイダルコイルと金属製バックカバーとが近接して配置される薄型テレビのバックカバーから実質的に騒音が発生しなくなる。
【図面の簡単な説明】
【０００９】
【図１】本発明の第１の実施形態に係る薄型テレビの背面図である。
【図２】図２（１）は、本発明の第１の実施形態に係る薄型テレビにおける、一部の回路基板の平面図である。図２（２）は、図２（１）に示す回路基板に平行して薄型テレビの背面に設けられる、バックカバーにおける一部領域の構成を示す図である。図２（３）は、図２（１）に示す回路基板に対して、図２（２）に示すバックカバーの一部領域を重ねたときの様子を示す図である。
【図３】図２（３）の線分ＡＡ’を通り図２（３）に垂直な平面により、薄型テレビを切断した場合の断面図である。
【発明を実施するための形態】
【００１０】
以下、図面を参照して、本発明に係る好適な実施形態を説明する。
【００１１】
[第１の実施形態]
【００１２】
図１は、本発明の第１の実施形態に係る薄型テレビ２０の背面図である。薄型テレビ２０は、例えば、プラズマディスプレイテレビである。図１に示す背面図において、バックカバー８の右下の一部領域８ａに格子状の多数の孔６が設けられている。バックカバー８は金属製である。図１に示す格子状の孔６の領域に対向する、薄型テレビ２０内部の回路基板にはトロイダルコイルが配置されている。
【００１３】
図２（１）は、本発明の第１の実施形態に係る薄型テレビ２０内部における回路基板４の一部領域のみを示した図である。図２（１）では、説明の便宜上、回路基板４において一部の部品（トロイダルコイル２）のみを示している。回路基板４は、薄型テレビ２０の内部において前面パネルと平行に配置される。図２（１）に示す回路基板４には、４個のトロイダルコイル２が搭載されている。回路基板４には、その他の個数のトロイダルコイル２が設けられることもある。
【００１４】
図２（２）は、図２（１）に示す回路基板４に平行して薄型テレビの後部に配置される、バックカバー８における一部領域８ａを示す図である。図２（２）に示す一部領域８ａは、薄型テレビ２０の背面側から見て、図２（１）に示す回路基板４と重なる領域である。図２（２）に示すように、バックカバー８の一部領域８ａの右上部及び中央下部には、多数の孔６が格子状に配置されている。
【００１５】
図２（３）は、薄型テレビ２０にバックカバー８が取り付けられたときの、バックカバー８の一部領域８ａを示す図である。図２（１）、（２）及び（３）から明らかなように、格子状の複数の孔６は、トロイダルコイル２が配置される回路基板４上の領域と対応するバックカバー８上の位置に設けられる。後で説明するように、格子状の孔６の領域の内側は絶縁板で覆われるので、薄型テレビの背面から、トロイダルコイル２を直接見ることはできない。
【００１６】
このように、本実施形態のバックカバー８における孔６は、回路基板４上のトロイダルコイル２に対向する（バックカバー８の）領域に設けられる。また、孔６の径及び孔６同士の間隔は、適宜設定できる。例えば、孔６の径を４〜１０ｍｍの所定の値とし、孔６同士の間隔を１〜５ｍｍの所定の値とすることができる。
【００１７】
図３は、図２（３）の線分ＡＡ’を通り図２（３）に垂直な平面により、薄型テレビ２０を切断した場合の断面図である。図３において、下から前面パネル１２、回路基板４、及びバックカバー８の一部領域８ａが平行に示されている。従って、図３の下方はテレビの前面方向を示し、上方はテレビの背面方向を示す。図３に示すように、バックカバー８の一部領域８ａにおいて、格子状の複数の孔６は、トロイダルコイル２と対向する位置に設けられる。
【００１８】
バックカバー８の一部領域８ａにおける、格子状の複数の孔６の領域の内側には、絶縁樹脂などで形成される絶縁板１０が設けられる。この絶縁板１０により、トロイダルコイル２とバックカバー８との間の絶縁を確保する。更に、この絶縁板１０により、孔６から微小物が薄型テレビ２０の内部に入り込むことを防止できる。なお、後で説明するように、この絶縁板１０そのものは、振動発生の要因となり得ない。
【００１９】
前述のように、本願発明者は、バックカバー８付近の騒音の原因が、トロイダルコイルが発生する磁束の影響であると考えた。この磁束の影響を低減するため、薄型テレビ２０のバックカバー８に多数の孔６を設けた。これにより、磁束の影響を受けるバックカバー８の金属部分を少なくしている。
【００２０】
つまり、図３に示すように、バックカバー８の孔６の部分は、トロイダルコイル２が生じる磁束による、バックカバー８に対する影響を受けない部分となる。多数の孔６が空けられることで、バックカバー８に対する影響を受けない部分が増えることになる。これにより、バックカバー８の振動は大幅に抑えられ、バックカバー８は実質的には騒音を発生しなくなる。
【００２１】
本実施形態では、薄型テレビ２０のバックカバー８のうち、内部回路のトロイダルコイル２に対向する部分を少なくとも含む一部領域８ａにて、格子状の多数の孔６を設けることにより、トロイダルコイル２が生じる磁束の影響によるバックカバー８の振動を抑えてバックカバー８からの騒音の発生を防いでいる。
【００２２】
本願発明者は、バックカバー８が金属製である場合にバックカバー８から騒音が発生すること、更に、本実施形態を利用することで実質的に騒音が消滅することを実験により確認している。また、本願発明者は、トロイダルコイル２がギャップ付きのものである場合にも、本実施形態を利用することでバックカバー８の振動が低減しバックカバー８付近の騒音が実質的に消滅することを実験により確認している。
【００２３】
また、本願発明者は、バックカバーが金属以外の材料（例えば、絶縁樹脂）で形成される場合には、バックカバーは殆ど振動しないことも確認している。このことは、金属以外の材料（例えば、絶縁樹脂）で形成されるバックカバーは、内部回路のトロイダルコイル２が生じる磁束の影響を受けるものではないことを示している。従って、本実施形態において、バックカバー８の一部領域８ａにおける、格子状の複数の孔６の領域の内側に設けられる絶縁板１０（図３参照）は、振動発生の要因とはならない。
【００２４】
以上、本実施形態はプラズマディスプレイテレビに適用され得ることを説明した。本実施形態は、他の種類のテレビ、例えば、液晶テレビであっても、内部回路にトロイダルコイルが搭載され、且つ、バックカバーが金属製であるものであれば、適用され得る。
【産業上の利用可能性】
【００２５】
本発明は、バックカバーが金属製である、プラズマディスプレイテレビや液晶テレビなどの薄型の映像表示装置において利用されるものである。
【符号の説明】
【００２６】
２・・トロイダルコイル、４・・回路基板、６・・孔、８・・バックカバー、１０・・絶縁板、１２・・前面パネル、２０・・薄型テレビ。
【図１】
2013111196.tif 000003
【図２】
2013111196.tif 000004
【図３】
2013111196.tif 000005
【手続補正書】
【提出日】平成26年7月9日(2014.7.9)
【手続補正１】
【補正対象書類名】明細書
【補正対象項目名】全文
【補正方法】変更
【補正の内容】
【発明の詳細な説明】
【技術分野】
【０００１】
本発明は、プラズマディスプレイテレビのような映像表示装置のバックカバーに関する。
【背景技術】
【０００２】
プラズマディスプレイテレビや液晶テレビの分野において、薄型電源回路や薄型パネルの採用等による映像表示装置の薄型化が著しい。最近では、例えば、２６インチの画面サイズを有するテレビであっても、４０ｍｍ以下の薄さであることが一般的である。
【先行技術文献】
【特許文献】
【０００３】
【特許文献１】特開２０１０−２７１４４１号公報
【発明の概要】
【発明が解決しようとする課題】
【０００４】
このように薄型化が進むテレビにおいて、特にバックカバーに金属板が用いられるプラズマディスプレイテレビでは、バックカバー付近から騒音が発生するという問題がある。
【０００５】
本発明は、バックカバーからの騒音の発生を抑制する薄型テレビを提供することを目的とする。
【課題を解決するための手段】
【０００６】
薄型化が進む前の従来のプラズマディスプレイテレビでは、バックカバー付近からの騒音は特に気になるものではなかったが、薄型化が進んだ最近のプラズマディスプレイテレビではバックカバー付近からの騒音が顕著になることに、本願発明者は気付いた。そして、本願発明者は、その原因が内部回路のトロイダルコイルで発生する磁束にあると考えた。つまり、従来のプラズマディスプレイテレビは、相当程度の厚さを有しており、内部回路にトロイダルコイルが設けられるとしても、それらトロイダルコイルとバックカバーとの間にはかなりの距離があった。これに対して、最近の薄型プラズマディスプレイテレビでは、内部回路のトロイダルコイルとバックカバーとが近接して配置されている。このことから、本願発明者は、最近の薄型プラズマディスプレイテレビでは、内部回路のトロイダルコイルが生じる磁束の影響によりバックカバーが振動し、その結果としてバックカバーから騒音が生じる、と推定し、下記の構成の映像表示装置を発明した。
【０００７】
本発明に係る映像表示装置は、トロイダルコイルを搭載する回路基板と、背面を覆うバックカバーとを含み、前記バックカバーにおける、前記回路基板上のトロイダルコイルに対向する領域を含む領域において、前記トロイダルコイルが発生する磁束の影響を減じる孔が設けられている。
【発明の効果】
【０００８】
本発明により、薄型テレビのバックカバーに設けられた孔がトロイダルコイルの発生する磁束の影響を低減するので、内部回路のトロイダルコイルと金属製バックカバーとが近接して配置される薄型テレビのバックカバーの振動は大幅に抑えられる。すなわち、内部回路のトロイダルコイルと金属製バックカバーとが近接して配置される薄型テレビのバックカバーから実質的に騒音が発生しなくなる。
【図面の簡単な説明】
【０００９】
【図１】本発明の第１の実施形態に係る薄型テレビの背面図である。
【図２】図２（１）は、本発明の第１の実施形態に係る薄型テレビにおける、一部の回路基板の平面図である。図２（２）は、図２（１）に示す回路基板に平行して薄型テレビの背面に設けられる、バックカバーにおける一部領域の構成を示す図である。図２（３）は、図２（１）に示す回路基板に対して、図２（２）に示すバックカバーの一部領域を重ねたときの様子を示す図である。
【図３】図２（３）の線分ＡＡ’を通り図２（３）に垂直な平面により、薄型テレビを切断した場合の断面図である。
【発明を実施するための形態】
【００１０】
以下、図面を参照して、本発明に係る好適な実施形態を説明する。
【００１１】
[第１の実施形態]
図１は、本発明の第１の実施形態に係る薄型テレビ２０の背面図である。薄型テレビ２０は、例えば、プラズマディスプレイテレビである。図１に示す背面図において、バックカバー８の右下の一部領域８ａに格子状の多数の孔６が設けられている。バックカバー８は金属製である。図１に示す格子状の孔６の領域に対向する、薄型テレビ２０内部の回路基板にはトロイダルコイルが配置されている。
【００１２】
図２（１）は、本発明の第１の実施形態に係る薄型テレビ２０内部における回路基板４の一部領域のみを示した図である。図２（１）では、説明の便宜上、回路基板４において一部の部品（トロイダルコイル２）のみを示している。回路基板４は、薄型テレビ２０の内部において前面パネルと平行に配置される。図２（１）に示す回路基板４には、４個のトロイダルコイル２が搭載されている。回路基板４には、その他の個数のトロイダルコイル２が設けられることもある。
【００１３】
図２（２）は、図２（１）に示す回路基板４に平行して薄型テレビの後部に配置される、バックカバー８における一部領域８ａを示す図である。図２（２）に示す一部領域８ａは、薄型テレビ２０の背面側から見て、図２（１）に示す回路基板４と重なる領域である。図２（２）に示すように、バックカバー８の一部領域８ａの右上部及び中央下部には、多数の孔６が格子状に配置されている。
【００１４】
図２（３）は、薄型テレビ２０にバックカバー８が取り付けられたときの、バックカバー８の一部領域８ａを示す図である。図２（１）、（２）及び（３）から明らかなように、格子状の複数の孔６は、トロイダルコイル２が配置される回路基板４上の領域と対応するバックカバー８上の位置に設けられる。後で説明するように、格子状の孔６の領域の内側は絶縁板で覆われるので、薄型テレビの背面から、トロイダルコイル２を直接見ることはできない。
【００１５】
このように、本実施形態のバックカバー８における孔６は、回路基板４上のトロイダルコイル２に対向する（バックカバー８の）領域に設けられる。また、孔６の径及び孔６同士の間隔は、適宜設定できる。例えば、孔６の径を４〜１０ｍｍの所定の値とし、孔６同士の間隔を１〜５ｍｍの所定の値とすることができる。
【００１６】
図３は、図２（３）の線分ＡＡ’を通り図２（３）に垂直な平面により、薄型テレビ２０を切断した場合の断面図である。図３において、下から前面パネル１２、回路基板４、及びバックカバー８の一部領域８ａが平行に示されている。従って、図３の下方はテレビの前面方向を示し、上方はテレビの背面方向を示す。図３に示すように、バックカバー８の一部領域８ａにおいて、格子状の複数の孔６は、トロイダルコイル２と対向する位置に設けられる。
【００１７】
バックカバー８の一部領域８ａにおける、格子状の複数の孔６の領域の内側には、絶縁樹脂などで形成される絶縁板１０が設けられる。この絶縁板１０により、トロイダルコイル２とバックカバー８との間の絶縁を確保する。更に、この絶縁板１０により、孔６から微小物が薄型テレビ２０の内部に入り込むことを防止できる。なお、後で説明するように、この絶縁板１０そのものは、振動発生の要因となり得ない。
【００１８】
前述のように、本願発明者は、バックカバー８付近の騒音の原因が、トロイダルコイルが発生する磁束の影響であると考えた。この磁束の影響を低減するため、薄型テレビ２０のバックカバー８に多数の孔６を設けた。これにより、磁束の影響を受けるバックカバー８の金属部分を少なくしている。
【００１９】
つまり、図３に示すように、バックカバー８の孔６の部分は、トロイダルコイル２が生じる磁束による、バックカバー８に対する影響を受けない部分となる。多数の孔６が空けられることで、バックカバー８に対する影響を受けない部分が増えることになる。これにより、バックカバー８の振動は大幅に抑えられ、バックカバー８は実質的には騒音を発生しなくなる。
【００２０】
本実施形態では、薄型テレビ２０のバックカバー８のうち、内部回路のトロイダルコイル２に対向する部分を少なくとも含む一部領域８ａにて、格子状の多数の孔６を設けることにより、トロイダルコイル２が生じる磁束の影響によるバックカバー８の振動を抑えてバックカバー８からの騒音の発生を防いでいる。
【００２１】
本願発明者は、バックカバー８が金属製である場合にバックカバー８から騒音が発生すること、更に、本実施形態を利用することで実質的に騒音が消滅することを実験により確認している。また、本願発明者は、トロイダルコイル２がギャップ付きのものである場合にも、本実施形態を利用することでバックカバー８の振動が低減しバックカバー８付近の騒音が実質的に消滅することを実験により確認している。
【００２２】
また、本願発明者は、バックカバーが金属以外の材料（例えば、絶縁樹脂）で形成される場合には、バックカバーは殆ど振動しないことも確認している。このことは、金属以外の材料（例えば、絶縁樹脂）で形成されるバックカバーは、内部回路のトロイダルコイル２が生じる磁束の影響を受けるものではないことを示している。従って、本実施形態において、バックカバー８の一部領域８ａにおける、格子状の複数の孔６の領域の内側に設けられる絶縁板１０（図３参照）は、振動発生の要因とはならない。
【００２３】
以上、本実施形態はプラズマディスプレイテレビに適用され得ることを説明した。本実施形態は、他の種類のテレビ、例えば、液晶テレビであっても、内部回路にトロイダルコイルが搭載され、且つ、バックカバーが金属製であるものであれば、適用され得る。
【産業上の利用可能性】
【００２４】
本発明は、バックカバーが金属製である、プラズマディスプレイテレビや液晶テレビなどの薄型の映像表示装置において利用されるものである。
【符号の説明】
【００２５】
２・・・トロイダルコイル、４・・・回路基板、６・・・孔、８・・・バックカバー、１０・・・絶縁板、１２・・・前面パネル、２０・・・薄型テレビ。
【手続補正２】
【補正対象書類名】特許請求の範囲
【補正対象項目名】全文
【補正方法】変更
【補正の内容】
【特許請求の範囲】
【請求項１】
トロイダルコイルを搭載する回路基板と、
背面を覆うバックカバーとを含み、
前記バックカバーにおける、前記回路基板上のトロイダルコイルに対向する領域を含む領域において、前記トロイダルコイルが発生する磁束の影響を減じる孔が設けられている
映像表示装置。
【請求項２】
前記孔が、格子状に配置された複数の孔であることを特徴とする請求項１に記載の映像表示装置。
【請求項３】
前記孔の径が４〜１０ｍｍの範囲内の値であり、前記孔同士の間隔が１〜５ｍｍの範囲内の値であることを特徴とする請求項２に記載の映像表示装置。
【手続補正３】
【補正対象書類名】図面
【補正対象項目名】全図
【補正方法】変更
【補正の内容】
【図１】
2013111196.tif 000006
【図２】
2013111196.tif 000007
【図３】
2013111196.tif 000008
【国際調査報告】
2013111196.tif 000009
2013111196.tif 000010
2013111196.tif 000011
2013111196.tif 000012